(57)【特許請求の範囲】
【請求項１】
前面に遊技球が流下する遊技領域を有する遊技盤と、
前記遊技盤に設けられ、前記遊技領域を流下する遊技球が通過可能な通過領域と、
前記通過領域の上方に設けられ、前記通過領域への遊技球の通過を契機に判定される当否判定の結果を表示する表示手段と、
前記遊技領域のうち、前記表示手段の左方に位置する左領域と、
前記左領域内で前記通過領域よりも上流側に設けられ、遊技球が進入するワープ入口と、
前記ワープ入口に進入した遊技球が通過するワープ通路と、
前記ワープ通路を通過した遊技球が前記通過領域の上流側で放出されるワープ出口と、
前記通過領域の上方且つ前記表示手段の下方に設けられ、前記ワープ出口から放出された遊技球が転動し、前記通過領域の上方に放出されるステージ部と、
前記遊技領域のうち、前記ステージ部の下側に位置し、前記通過領域および前記通過領域の周囲において遊技球の方向を変更する遊技釘が設けられた中領域と、
前記ステージ部および前記中領域の周囲に配置され、且つ前記左領域と前記ステージ部および前記中領域とを隔てて設けられ、前記表示手段による当否判定の結果の表示に合わせて演出を行う演出手段と、
前記左領域内で前記通過領域よりも上流側で前記ワープ入口とは異なる位置に設けられ、遊技球が進入する進入口と、
前記進入口に進入した遊技球が通過する連絡通路と、
前記中領域内で前記通過領域よりも上流側に設けられ、前記連絡通路を通過した遊技球が放出される放出口と、
を備えたことを特徴とする遊技機。
【請求項２】
前記進入口は、２つ以上設けられたことを特徴とする請求項１に記載の遊技機。
【請求項３】
前記ワープ通路と前記連絡通路は一体に併設され、内壁の一部が共通の壁材を用いて形成されたことを特徴とする請求項１または２に記載の遊技機。
【発明の詳細な説明】
【技術分野】
【０００１】
本発明は、遊技領域を遊技球が流下する遊技機に関する。
【背景技術】
【０００２】
遊技機の盤面には、遊技釘が植設され、遊技球が流下する遊技領域が設けられる（例えば特許文献１参照）。遊技領域の中央付近には、大当たり判定の結果等を表示する表示装置が設けられる。表示装置の周囲には、大当たり判定時に演出を行う演出装置が設けられる。表示装置の下方には、遊技球が入賞可能な入賞口が設けられる。発射装置から撃ち出される遊技球は、表示装置と演出装置の左右に位置する遊技領域を流下し、入賞口付近に到達する。入賞口に遊技球が入賞すると、大当り時に多量の賞品球を獲得可能な大当たり判定が行われる。
【先行技術文献】
【特許文献】
【０００３】
【特許文献１】特開２０１０−２０１２２９号公報
【発明の概要】
【発明が解決しようとする課題】
【０００４】
近年、表示装置や演出装置は大型化される傾向にある。例えば特許文献１のように、表示装置や演出装置が大型化されると、遊技領域が狭くなるという問題があった。遊技領域が狭くなることによって、遊技釘等や入賞口の配置レイアウトに制限が生ずるので、遊技領域を流下する遊技球の遊技釘等による進路変更が狭い範囲で行われ、遊技球の動きが単調になりやすいという問題があった。
【０００５】
本発明は、表示手段や演出手段を大型化した場合でも、遊技領域の大きさを確保することができる遊技機を提供することを目的とする。
【課題を解決するための手段】
【０００６】
本発明の一態様によれば、前面に遊技球が流下する遊技領域を有する遊技盤と、前記遊技盤に設けられ、前記遊技領域を流下する遊技球が通過可能な通過領域と、前記通過領域の上方に設けられ、前記通過領域への遊技球の通過を契機に判定される当否判定の結果を表示する表示手段と、前記遊技領域のうち、前記表示手段の左方に位置する左領域と、前記左領域内で前記通過領域よりも上流側に設けられ、遊技球が進入するワープ入口と、前記ワープ入口に進入した遊技球が通過するワープ通路と、前記ワープ通路を通過した遊技球が前記通過領域の上流側で放出されるワープ出口と、前記通過領域の上方且つ前記表示手段の下方に設けられ、前記ワープ出口から放出された遊技球が転動し、前記通過領域の上方に放出されるステージ部と、前記遊技領域のうち、前記ステージ部の下側に位置し、前記通過領域および前記通過領域の周囲において遊技球の方向を変更する遊技釘が設けられた中領域と、前記ステージ部および前記中領域の周囲に配置され、且つ前記左領域と前記ステージ部および前記中領域とを隔てて設けられ、前記表示手段による当否判定の結果の表示に合わせて演出を行う演出手段と、前記左領域内で前記通過領域よりも上流側で前記ワープ入口とは異なる位置に設けられ、遊技球が進入する進入口と、前記進入口に進入した遊技球が通過する連絡通路と、前記中領域内で前記通過領域よりも上流側に設けられ、前記連絡通路を通過した遊技球が放出される放出口と、を備えたことを特徴とする遊技機が提供される。
【０００７】
演出手段が取り囲む中領域は、遊技盤において演出手段が占める部分である。この中領域を遊技領域として使用することで、遊技機は、遊技領域全体の大きさを確保することができる。故に、遊技釘の配置レイアウトの自由度を確保できるので、遊技領域を流下する遊技球の遊技釘等による進路変更を比較的広い範囲で行うことができる。故に遊技領域を流下する遊技球の動きが単調になりにくく、通過領域への遊技球通過の期待感を高めることができる。
【０００８】
本態様において、前記進入口は、２つ以上設けられてもよい。異なる進入口から進入する遊技球は、連絡通路内への進入角度や進入速度が異なるので、連絡通路内で異なる経路を通過して、放出口から放出されるときの角度や速度にばらつきを生ずることができる。故に中領域を流下する遊技球の動きが単調になりにくく、通過領域への遊技球通過の期待感を高めることができる。
【０００９】
本態様において、前記ワープ通路と前記連絡通路は一体に併設され、内壁の一部が共通の壁材を用いて形成されてもよい。連絡通路とワープ通路を、共通の壁材を用いて内壁の一部を形成し、一体に併設することで、製造コストを削減し、遊技機の組立時に遊技盤への組み付けを容易に行うことができる。
【００１０】
なお、前記連絡通路は、遊技球の通過方向に直交する幅方向の大きさが、少なくとも遊技球の直径の２倍以上であってもよい。この場合、遊技球は連絡通路内で幅方向の大きさ分、自由に動くことができるので、放出口から放出されるときの角度や速度にばらつきを生ずることができる。故に中領域を流下する遊技球の動きが単調になりにくく、通過領域への遊技球通過の期待感を高めることができる。
【００１１】
また、前記連絡通路は、内壁に、内向きに突出し、遊技球の通過方向に交差して延びる突出部を備えてもよい。この場合、遊技球は連絡通路内で突出部に衝突し、放出口から放出されるときの角度や速度にばらつきを生ずることができる。故に中領域を流下する遊技球の動きが単調になりにくく、通過領域への遊技球通過の期待感を高めることができる。
【００１２】
また、前記連絡通路は透明部材を用いて形成されてもよい。この場合、遊技者は、連絡通路内を通過する遊技球の球筋を視認することができるので、放出口から放出されるときの角度や速度を球筋に基づいて予測し、楽しむことができる。故に遊技機は、通過領域への遊技球通過の期待感を高めることができる。
【００１３】
また、前記連絡通路は、前記遊技盤の盤面よりも後側に配置されてもよい。この場合、進入口を左領域の右端に設けずとも、進入口から延びる連絡通路によって左領域が狭くなることがない。
【図面の簡単な説明】
【００１４】
【図１】パチンコ機１の正面図である。
【図２】遊技盤２の正面図である。
【図３】通路部材１８の正面図である。
【図４】通路部材１８の平面図である。
【図５】通路部材１８の斜視図である。
【図６】正面側から見た通路部材１８の分解斜視図である。
【図７】背面側から見た通路部材１８の分解斜視図である。
【図８】球受部８０付近の拡大図である。
【発明を実施するための形態】
【００１５】
以下、本発明に係る遊技機の一実施形態であるパチンコ機１について、図面を参照して説明する。まず、図１および図２を参照し、パチンコ機１の機械的構成について説明する。なお、以下の説明において、パチンコ機１の上下方向、左右方向、および表裏方向については、特に断りがない場合、遊技盤２の盤面の向きを基準とする。即ち、ホールに設置されたパチンコ機１で遊技を行う遊技者からパチンコ機１を見た向き（図１に示されるパチンコ機１の向き）が基準となる。以下では便宜上、図１紙面の表裏方向をパチンコ機１の前後方向として説明を行う。また、パチンコ機１に使用される装置や部品についても、パチンコ機１に組み付けられた場合の向きを基準に、上下方向、左右方向、および前後方向を規定するものとする。
【００１６】
図１、図２に示すように、パチンコ機１の上段側には遊技盤２が設けられる。遊技盤２は略正方形であり、透明なガラス板を保持した前面枠１０によって前面を保護される。遊技盤２の下段側には上皿５と下皿６が設けられる。上皿５は遊技盤２の下部に設けられ、遊技球発射装置（図示略）に遊技球を供給し、且つ賞品球を受ける。上皿５の上部中央には、遊技者によって操作される操作ボタン９が設けられる。下皿６は上皿５の直下に設けられ、上皿５から溢れたり排出されたりする賞品球を受ける。下皿６の右横には、遊技球の発射を調整する発射ハンドル７が設けられる。発射ハンドル７は、遊技者による回転操作を受け付ける。遊技者が発射ハンドル７を操作すると、遊技球発射装置は、発射ハンドル７の回転角度に応じた強度で遊技球を発射する。また、前面枠１０の上部で左右の角には、スピーカ４８がそれぞれ設けられる。
【００１７】
遊技盤２の前面には、一部がガイドレール３に囲まれた略円形の遊技領域４が形成される。ガイドレール３は、遊技領域４の左側に設けられる。遊技領域４の略中央には、各種演出を実行するセンター飾り８が設けられる。遊技球発射装置によって発射された遊技球は、ガイドレール３によって遊技領域４へ導かれ、遊技領域４内を流下する。遊技領域４は、左領域４Ｌ、中領域４Ｃ、右領域４Ｒの３つの領域を含む。
【００１８】
左領域４Ｌは、遊技領域４のうち、センター飾り８の左側において遊技球が流下可能な領域である。所定の強度未満で発射された遊技球は、例えば図２の矢印２１に示すように、左領域４Ｌを流下する。以下、矢印２１に示すように、遊技球が左領域４Ｌを流下するように強度に調整して遊技球を発射することを「左打ち」という。右領域４Ｒは、遊技領域４のうち、センター飾り８の右側において遊技球が流下可能な領域である。所定の強度以上で発射された遊技球は、例えば図２の矢印２２に示すように、右領域４Ｒを流下する。なお、矢印２２に示すように、遊技球が右領域４Ｒを流下するように強度に調整して遊技球を発射することを「右打ち」という。中領域４Ｃは、遊技領域４のうち、センター飾り８の内側において遊技球が流下可能な領域である。
【００１９】
センター飾り８は、表示画面２８、通路部材１８、ステージ部３２、変動メータ３０、大入賞口１６を主に備える。表示画面２８は、センター飾り８の上部略中央に配置される。表示画面２８は、３個の７セグメント表示器を左右方向に並べて配置した構成であり、様々な数字・文字等を表示可能である。表示画面２８は、特に、大当たり判定の結果を遊技者に報知する演出用の図柄である演出図柄（図示略）を表示する。パチンコ機１は、複数（本実施形態では３つ）の演出図柄を変動させる図柄変動を表示した後に、大当たり判定の結果を示す演出図柄の組合せを確定表示する報知演出を実行することで、大当たり判定の結果を遊技者に報知する。本実施形態では、大当たり判定の結果が大当たりであることを示す演出図柄の組合せは、例えば「７７７」「２２２」等、同じ数字を示す３個の演出図柄による組合せである。また、大当たり判定の結果がはずれであることを示す演出図柄の組合せは、「７６７」「１４３」等、同じ数字を示す演出図柄が３個揃わない組合せである。
【００２０】
通路部材１８は、センター飾り８において表示画面２８の左下方に設けられる。通路部材１８は、ワープ通路３１と連絡通路３３を備える。ワープ通路３１と連絡通路３３は、左打ちされて左領域４Ｌを流下する遊技球の一部を、センター飾り８の外側から内側へ案内するための通路である。ワープ通路３１は、通路を通過した遊技球をステージ部３２内に排出する。連絡通路３３は、通路を通過した遊技球を中領域４Ｃへ向けて排出する。通路部材１８の詳細な構造は後述する。
【００２１】
ステージ部３２は、ワープ通路３１を通過した遊技球を左右方向と前後方向に転動可能な転動面３２１を備える。ステージ部３２は、中領域４Ｃの上側に設けられ、遊技盤２の前面から後側に奥まった位置に配置される。転動面３２１は、左右方向において左右両側の部分が中央部分へ向けて下向きに傾斜し、且つ中央部分が前後方向において後側から前側にかけて下向きに傾斜する。ワープ通路３１からステージ部３２内に排出された遊技球は、転動面３２１上を左右方向に往復転動しながら前側に寄り、前部中央から中領域４Ｃに排出される。
【００２２】
変動メータ３０は、数字の「８」を模った電飾部材であり、センター飾り８の略中央に配置される。変動メータ３０の上半分の部分は、表示画面２８を取り囲む位置に設けられる。変動メータ３０の下半分の部分は、ステージ部３２と中領域４Ｃを取り囲む位置に設けられる。
【００２３】
大入賞口１６は、センター飾り８において表示画面２８の右下方に設けられる。大入賞口１６は、ソレノイドによって電気的に開閉される開閉部材１６１を備える。遊技球は、開閉部材１６１が開放された開放状態の場合にのみ、大入賞口１６に入賞できる。大入賞口１６の内部には、ソレノイドによって電気的に開閉される開閉部材（図示略）を備える特定領域１６２が設けられる。遊技球は、開閉部材１６１が開放された開放状態の場合にのみ、特定領域１６２を通過できる。大入賞口１６に入賞した遊技球は、特定領域１６２または大入賞口１６の内部に設けられた非特定領域（図示略）を通過した後、遊技領域４の外部へ排出される。
【００２４】
中領域４Ｃの略中央には、第一始動口１４が設けられる。第一始動口１４には、左領域４Ｌから連絡通路３３またはワープ通路３１とステージ部３２を介して中領域４Ｃに案内された遊技球の一部が入賞できる。第一始動口１４の下方には、左アウト口３４と右アウト口３５が設けられる。左アウト口３４と右アウト口３５は、それぞれ、中領域４Ｃの下端部の左右両側に配置される。第一始動口１４に入賞せずに中領域４Ｃを流下する遊技球は、左アウト口３４または右アウト口３５を通過した後、遊技領域４の外部へ排出される。
【００２５】
センター飾り８の右下方には、普通図柄作動ゲート１２が設けられる。普通図柄作動ゲート１２の左斜め下方には、第二始動口１５が設けられる。第二始動口１５は、普通電動役物としての開閉部材１５１を備える。普通電動役物は、普通当たり判定の結果に基づき入賞口の入口の大きさを変化する役物である。遊技球は、開閉部材１５１が開放された開放状態の場合にのみ、第二始動口１５に入賞できる。開閉部材１５１は、ソレノイドによって電気的に開閉される。なお、第二始動口１５は、開閉部材１５１が閉鎖された閉鎖状態においても遊技球の入賞が可能な構成であってもよい。この場合、第二始動口１５は、開閉部材１５１が開放されることで、閉鎖状態よりも遊技球が容易に入賞できる構成であるとよい。
【００２６】
遊技領域４には、上記以外に、下アウト口３６、各種の電飾ランプ、入賞口、風車、および遊技釘等が設けられる。左領域４Ｌを流下する遊技球のうち、ワープ通路３１または連絡通路３３を通過せず、且つその他の入賞口のいずれにも入賞せずに、遊技領域４の下部まで流下した遊技球は、下アウト口３６を通過し、遊技領域４の外部へ排出される。右領域４Ｒを流下する遊技球のうち、第二始動口１５、大入賞口１６、およびその他の入賞口のいずれにも入賞せずに、遊技領域４の下部まで流下した遊技球も同様に、下アウト口３６を通過し、遊技領域４の外部へ排出される。
【００２７】
遊技盤２の右下部には、大当たり判定の結果および保留球数等を表示する図柄表示部２４が設けられる。図柄表示部２４は、第一特別図柄表示部、第二特別図柄表示部、普通図柄表示部、第一特別図柄記憶数表示ＬＥＤ、第二特別図柄記憶数表示ＬＥＤおよび普通図柄記憶数表示ＬＥＤを備える。第一特別図柄表示部および第二特別図柄表示部は、それぞれ１つの７セグメントＬＥＤからなり、第一大当たり判定および第二大当たり判定の結果を示す第一特別図柄および第二特別図柄を表示する。以下、第一大当たり判定および第二大当たり判定を総称する場合、またはいずれかを特定しない場合、大当たり判定ともいう。普通図柄表示部は、ＬＥＤの点灯および消灯によって普通当たり判定の結果を表示する。第一特別図柄記憶数表示ＬＥＤおよび第二特別図柄記憶数表示ＬＥＤは、大当たり判定の結果がまだ表示されていない遊技球の個数である特別図柄保留球数を表示する。普通図柄記憶数表示ＬＥＤは、普通当たり判定の結果がまだ表示されていない遊技球の個数である普通図柄保留球数を表示する。
【００２８】
図示しないが、パチンコ機１の背面側には、各種基板を備えた制御部が設けられる。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、大入賞口１６、第二始動口１５等を開閉するソレノイドを駆動する。また、演出基板は、表示画面２８の表示制御、変動メータ３０が備える電飾用のＬＥＤ（図示略）等の発光制御、スピーカ４８の発音制御、各種演出装置（図示略）の駆動制御等を行う。
【００２９】
図３〜図７を参照し、通路部材１８の構造について説明する。前述したように、通路部材１８は、左領域４Ｌを流下する遊技球の一部をセンター飾り８の外側から内側へ案内する２つの通路を備えた部材である。通路部材１８は、正面視、左斜め上方から右斜め下方へ向けて延びるワープ通路３１と連絡通路３３を有する。ワープ通路３１と連絡通路３３は、連絡通路３３をワープ通路３１の前側にして、前後方向に並列に配置する。
【００３０】
通路部材１８は、前部材５０と中部材６０と後部材７０とを一体に組み付けて形成される。前部材５０は、透明な樹脂からなり、連絡通路３３の前壁、上壁、底壁、左壁および右壁を構成する。前部材５０は、左上側の端部５１の前壁に球受部８０を有する。球受部８０は前方に突出する箱状に形成され、上部を開放する。球受部８０内は左右方向に直交する２つの仕切り板８１によって仕切られ、３つの球受け室８２，８３，８４が形成される。球受け室８２〜８４は、それぞれ左右方向に遊技球略１球分の大きさを有する。球受け室８２〜８４は後壁に開口部を有し、開口部を介してそれぞれ連絡通路３３に連通する。左右の球受け室８２，８４上部の開口部は、それぞれ連絡通路３３内に遊技球を導入する進入口３３１，３３２である。真ん中の球受け室８３上部の開口部は、ワープ通路３１に遊技球を導入するワープ入口３１１である。球受け室８２〜８４内の前壁と底壁の角部には、それぞれ、前上方から後下方へ向けて傾斜する複数のリブ８５が設けられる。
【００３１】
前部材５０の右下側の端部５２は、前壁に開口部を有する。端部５２の開口部は、連絡通路３３から遊技球を排出する放出口３３３である。端部５２の底壁には、後上方から前下方へ向けて傾斜する複数のリブ３４０が設けられる。通路部材１８がパチンコ機１に組み付けられたとき、放出口３３３は、中領域４Ｃの左上角部分に配置される（図２参照）。
【００３２】
連絡通路３３は、第一傾斜部３３５と第二傾斜部３３７を有する。第一傾斜部３３５は、端部５１から右方へ向けて緩やかに傾斜する。第一傾斜部３３５は、球受け室８３の後ろ位置と球受け室８４の後ろの位置との間に、球受け室８４の後ろ側を下段とする段部３３８を有する。第一傾斜部３３５は、下向きに屈曲する屈曲部３３６を介して第二傾斜部３３７に接続する。第二傾斜部３３７は、端部５２へ向けて右斜め下方に延びる。第二傾斜部３３７は、第一傾斜部３３５よりも下向きに大きく傾斜する。第二傾斜部３３７の上壁と底壁には、通路内に突出して前後方向に延びる複数のリブ３３９がそれぞれ設けられる。
【００３３】
中部材６０は樹脂からなり、ワープ通路３１の前壁、上壁、底壁および左壁を構成する。中部材６０は、前部材５０の後ろにねじで固定される。ワープ通路３１の前壁は連絡通路３３の後壁を兼ね、連絡通路３３を管状に形成する。即ち、連絡通路３３とワープ通路３１は、内壁の一部が共通の壁材を用いて形成される。中部材６０は、左上側の端部６１の前壁に開口部を有する。端部６１の開口部は、遊技球を球受け室８３からワープ通路３１に導く導入口３１２である。導入口３１２は、１つの遊技球が通過可能な大きさを有し、前後方向において球受け室８３の後ろに配置される。
【００３４】
端部６１は、導入口３１２の左側に、案内突部３３４を備える。案内突部３３４は上下方向に並べた２枚の板状突起で、端部６１から前方に突出し、且つ突出先端部分が左前側から右後側に弧状に湾曲する。案内突部３３４は、前後方向において球受け室８２の後ろに配置される。前後方向において球受け室８４の後ろには、連絡通路３３の後壁が位置する。
【００３５】
中部材６０の右下側の端部６２は開口する。端部６２の開口部は、ワープ通路３１から遊技球を排出するワープ出口３１３である。通路部材１８がパチンコ機１に組み付けられたとき、ワープ出口３１３は、ステージ部３２の左端上部後壁寄りの位置に接続する（図５参照）。
【００３６】
ワープ通路３１は、第一傾斜部３１５と第二傾斜部３１７を有する。第一傾斜部３１５は、端部６１から右方へ向けて緩やかに傾斜する。第一傾斜部３１５は、下向きに屈曲する屈曲部３１６を介して第二傾斜部３１７に接続する。第二傾斜部３１７は、端部６２へ向けて右斜め下方に延びる。第二傾斜部３１７は、第一傾斜部３１５よりも下向きに大きく傾斜する。第二傾斜部３１７の上壁と底壁には、通路内に突出して前後方向に延びる複数のリブ３１９がそれぞれ設けられる。
【００３７】
後部材７０は樹脂からなり、ワープ通路３１の後壁を構成し、ワープ通路３１を管状に形成する。後部材７０は、中部材６０の後ろにねじで固定される。後部材７０は、左上側の端部７１の前壁に、案内突部３１４を備える。案内突部３１４は上下方向に並べた３枚の板状突起で、端部７１から前方に突出し、且つ突出先端部分が左前側から右後側に傾斜する。案内突部３１４は、前後方向において球受け室８３および導入口３１２の後ろに配置される。
【００３８】
このような構成の通路部材１８において、ワープ通路３１の上下方向の長さと連絡通路３３の上下方向の長さは、略同じであり、１個の遊技球が通過可能な大きさ（遊技球の直径以上の大きさ）である。ワープ通路３１の前後方向の長さは、１個の遊技球が通過可能な大きさ（遊技球の直径以上の大きさ）である。連絡通路３３の前後方向の長さは、ワープ通路３１の前後方向の長さよりも長く、遊技球の略２個分の長さである。連絡通路３３における遊技球の通過方向に直交する連絡通路３３の幅方向の大きさは、ワープ通路３１の幅方向の大きさよりも大きく、少なくとも遊技球の直径の２倍以上の大きさを有することが好ましい。
【００３９】
通路部材１８はパチンコ機１に組み付けられ、球受部８０が左領域４Ｌ内で遊技盤２の前面よりも前方に突出した状態に配置される。ワープ通路３１と連絡通路３３は、遊技盤２の盤面よりも後側に配置される。球受部８０の直上に流下する遊技球は、進入口３３１、３３２またはワープ入口３１１に進入できる。球受部８０の側方を流下する遊技球は、左領域４Ｌ内に位置する部分のワープ通路３１と連絡通路３３の前面を通り、左領域４Ｌ内を流下できる。
【００４０】
図８に示すように、左領域４Ｌを流下する遊技球が進入口３３１に進入すると、球受け室８２は、遊技球の向きをリブ８５によって後向きに変更し、連絡通路３３に送り出す。遊技球は、連絡通路３３に進入すると、導入口３１２の左側に位置する案内突部３３４に当接する。案内突部３３４は、突出先端部分が弧状に湾曲するので、遊技球の進む向きを後向きから右向きに変更し、遊技球を後壁寄りに連絡通路３３内に送り出す。遊技球は、段部３３８を越え、第一傾斜部３３５の斜面に沿って右方に進む。遊技球は、案内突部３３４に沿って進む向きを変更するので、球受け室８２から送り出された際の速度をあまり落とさずに、連絡通路３３内を転動する。
【００４１】
また、遊技球が進入口３３２に進入すると、球受け室８４は、遊技球の向きをリブ８５によって後向きに変更し、連絡通路３３に送り出す。遊技球は、連絡通路３３に進入すると、導入口３１２の右側に位置する連絡通路３３の後壁に衝突し、跳ね返る。遊技球は、後壁との衝突によって球受け室８４から送り出された際の速度が低下する。遊技球は、段部３３８によって左側への移動が抑制される。遊技球は、後壁との衝突で跳ね返った位置（多くは前壁寄りの位置）から第一傾斜部３３５の斜面に沿って右方に進み始め、連絡通路３３内を転動する。故に、連絡通路３３は、進入口３３１から進入する遊技球と、進入口３３２から進入する遊技球とが第一傾斜部３３５に進入する進入角度や進入速度を異ならせることができる。
【００４２】
図５に示すように、連絡通路３３内を転動する遊技球は、屈曲部３３６を介して第一傾斜部３３５から第二傾斜部３３７に移動する。遊技球は、第二傾斜部３３７のリブ３３９に衝突し、第二傾斜部３３７内でランダムに跳ねる。連絡通路３３は、前後方向の長さが遊技球の１個分の大きさよりも長いので、リブ３３９で跳ねた遊技球の進む向きを、特に前後方向にばらつかせることができる。連絡通路３３を構成する前部材５０が透明な部材であるので、遊技者は、連絡通路３３内で跳ねる遊技球を視認することができる。遊技球は、第二傾斜部３３７の右端で連絡通路３３の右壁に衝突して下方に落下する。遊技球はリブ３４０によって前方に進み、放出口３３３から中領域４Ｃに排出される。連絡通路３３は、遊技球を第二傾斜部３３７のリブ３３９に衝突させることで、放出口３３３から排出される際の遊技球の角度や速度をばらつかせることができる。
【００４３】
一方、図８に示すように、左領域４Ｌを流下する遊技球がワープ入口３１１に進入すると、球受け室８３は、遊技球の向きをリブ８５によって後向きに変更し、連絡通路３３に送り出す。ワープ入口３１１から球受け室８３を通って後方へ移動する遊技球は、連絡通路３３を横切り、導入口３１２からワープ通路３１内に進入する。遊技球は、ワープ通路３１に進入すると、導入口３１２の後ろに位置する案内突部３１４に当接する。案内突部３１４は、遊技球の進む向きを後向きから右向きに変更し、遊技球をワープ通路３１内に送り出す。
【００４４】
図５に示すように、ワープ通路３１内を転動する遊技球は、屈曲部３１６を介して第一傾斜部３１５から第二傾斜部３１７に移動する。遊技球は、第二傾斜部３１７のリブ３１９に衝突し、第二傾斜部３１７内でランダムに跳ねる。遊技球は、第二傾斜部３１７の右端に到達すると、ワープ出口３１３からステージ部３２に排出され、転動面３２１の左端部後側の角部に現出する。ワープ通路３１は、遊技球を第二傾斜部３１７のリブ３１９に衝突させることで、ワープ出口３１３から転動面３２１に排出される遊技球の角度や速度をばらつかせることができる。
【００４５】
以上説明したように、中領域４Ｃは、遊技盤２においてセンター飾り８の変動メータ３０が占める部分に確保される。この中領域４Ｃを遊技領域４として使用することで、パチンコ機１は、遊技領域４全体の大きさを確保することができる。故に、遊技釘の配置レイアウトの自由度を確保できるので、遊技領域４を流下する遊技球の遊技釘等による進路変更を比較的広い範囲で行うことができる。故に遊技領域４を流下する遊技球の動きが単調になりにくく、第一始動口１４への遊技球入賞の期待感を高めることができる。
【００４６】
異なる進入口３３１，３３２から連絡通路３３内に進入する遊技球は、連絡通路３３内への進入角度や進入速度が異なるので、連絡通路３３内で異なる経路を通過して、放出口３３３から放出されるときの角度や速度にばらつきを生ずることができる。故に中領域４Ｃを流下する遊技球の動きが単調になりにくく、第一始動口１４への遊技球入賞の期待感を高めることができる。
【００４７】
ワープ通路３１の前壁は連絡通路３３の後壁を兼ねる。連絡通路３３とワープ通路３１とを共通の壁材を用いて一体に併設することで、パチンコ機１の製造コストを削減することができる。また、連絡通路３３とワープ通路３１とを一体にした通路部材１８は、パチンコ機１の組立時に遊技盤２への組み付けを容易に行うことができる。
【００４８】
連絡通路３３の幅方向の大きさが、少なくとも遊技球の直径の２倍以上であれば、遊技球は連絡通路３３内で幅方向の大きさ分、自由に動くことができる。故に遊技球は、放出口３３３から放出されるときの角度や速度にばらつきを生ずることができる。よって、中領域４Ｃを流下する遊技球の動きが単調になりにくく、パチンコ機１は、第一始動口１４への遊技球入賞の期待感を高めることができる。
【００４９】
連絡通路３３は、第二傾斜部３３７に、内向きに突出して前後方向に延びる複数のリブ３３９を備える。遊技球は第二傾斜部３３７においてリブ３３９に衝突し、ランダムに跳ねる。故に遊技球は、放出口３３３から放出されるときの角度や速度にばらつきを生ずることができる。よって、中領域４Ｃを流下する遊技球の動きが単調になりにくく、第一始動口１４への遊技球入賞の期待感を高めることができる。
【００５０】
連絡通路３３を形成する前部材５０は、透明な部材からなる。よって遊技者は、連絡通路３３内を通過する遊技球の球筋を視認することができるので、放出口３３３から放出されるときの角度や速度を球筋に基づいて予測し、楽しむことができる。故にパチンコ機１は、第一始動口１４への遊技球入賞の期待感を高めることができる。
【００５１】
連絡通路３３は、遊技盤２の盤面よりも後側に配置されるので、進入口３３１，３３２を左領域４Ｌの右端に設けずとも、進入口３３１，３３２から延びる連絡通路３３によって左領域４Ｌが狭くなることがない。
【００５２】
本発明は、以上詳述した実施の形態に限定されるものではなく、本発明の要旨を逸脱しない範囲内において種々の変更が可能であることは言うまでもない。連絡通路３３の進入口３３１，３３２は２つ設けたが、１つでもよいし、３つ以上あってもよい。進入口３３１，３３２とワープ入口３１１は球受部８０に設けられたが、それぞれ個別の球受部に設けてもよい。
【００５３】
前部材５０は透明な部材であるが、半透明な部材であってもよいし、非透明な部材であってもよい。また、中部材６０や後部材７０も、透明または半透明な部材であってもよいし、非透明な部材であってもよい。連絡通路３３、ワープ通路３１は、それぞれ屈曲部３３６、３１６がなく、傾斜しながら直線状に延びてもよい。連絡通路３３、ワープ通路３１のリブ３３９、３１９は、なくてもよい。
【００５４】
本実施形態では連絡通路３３の幅方向の大きさは遊技球の直径の２倍以上であるが、遊技球の直径以上であればよい。また、ワープ通路３１の幅方向の大きさは、１個の遊技球が通過可能な大きさであるが、遊技球の直径の２倍以上の大きさを有してもよい。
【００５５】
本実施形態では、連絡通路３３の進入口３３１，３３２とワープ通路３１のワープ入口３１１を左右方向に並べて設けたが、これに限らず、例えば前後方向に並べて設けてもよい。
【００５６】
本実施形態では、通過領域の一例として第一始動口１４を挙げたが、通過領域は遊技球の入賞口に限らず、例えば遊技球の通過を検知する単なるゲートであってもよい。当否判定は、大当たり判定に限らず、例えば普通当り判定であってもよい。
【００５７】
特許請求の範囲、明細書および図面に記載される全ての要素（例えば、表示装置、普通電動役物、図柄作動口等）は、個数を意識的に限定する明確な記載がない限り、物理的に単一であっても複数であっても構わないし、適宜配置の変更が行われても構わない。また、各要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示装置」は、ハード単体でも、ソフトを含んだものであっても構わない。更には、上記全ての要素のうちの複数の要素を適宜一体的に構成するか、もしくはひとつの要素を複数の要素に分けて構成するかは、特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。従って、その程度の範囲内での構成上の差異を有する遊技機を、本実施形態に記載がなされていないことを理由に採用することのみでは、本発明に係る権利を回避したことにはならない。その他、各要素の構成や形状等における、本実施形態から当業者であれば容易に考えられる自明な範囲の差異についても同様である。
【００５８】
なお、本発明においては、パチンコ機１が「遊技機」に相当する。第一始動口１４が「通過領域」に相当する。表示画面２８が「表示手段」に相当する。変動メータ３０が「演出手段」に相当する。リブ３３９が「突出部」に相当する。
【符号の説明】
【００５９】
１                          パチンコ機
２                          遊技盤
４                          遊技領域
４Ｃ                        中領域
４Ｌ                        左領域
１４                        第一始動口
２８                        表示画面
３０                        変動メータ
３１                        ワープ通路
３２                        ステージ部
３３                        連絡通路
３１１                      ワープ入口
３１３                      ワープ出口
３３１                      進入口
３３２                      進入口
３３３                      放出口
３３９                      リブ
【図１】
0006719708.tif 000002
【図２】
0006719708.tif 000003
【図３】
0006719708.tif 000004
【図４】
0006719708.tif 000005
【図５】
0006719708.tif 000006
【図６】
0006719708.tif 000007
【図７】
0006719708.tif 000008
【図８】
0006719708.tif 000009